(57)【要約】【課題】吐水へッドの後面の外周縁部のメッキ面等の化粧面が、吐水ヘッドの脱着の度に或いはホルダによる保持状態の下でガタツキによりホルダ側の前面に当って化粧剥がれするのを防止できる吐水ヘッド引出式水栓を提供する。【解決手段】吐水ヘッド１６をホルダ（吐水管基部）２２にてホース２０とともに引出可能に保持した吐水ヘッド引出式水栓１０において、吐水ヘッド１６の後面２６に且つその外周縁部３６と雌嵌合部３２との間の位置に、吐水ヘッド１６の押込状態で吐水管基部２２の前面２４に当って、外周縁部３６と前面２４との当りを防止する突出高さのストッパ突起３８を設けておく。【選択図】        図２
2008175009.tif 000002
【特許請求の範囲】
【請求項１】
吐水口を有する吐水ヘッドを、該吐水ヘッドに接続された可撓性のホースとともに該吐水ヘッドを保持するホルダから引出可能となしてあり
該ホルダには該吐水ヘッド側の前面に且つ該ホースの引出口の周りに雄又は雌嵌合部が設けてあるとともに、該吐水ヘッドの該ホルダ側の該前面に対向する後面には対応する雌又は雄嵌合部が設けてあって、それら嵌合部の嵌合により該吐水ヘッドを該ホルダにて保持するようになしてある吐水ヘッド引出式水栓において
前記吐水ヘッドの前記後面に且つ該後面の外周縁部と該吐水ヘッドの前記雌又は雄嵌合部との間の位置に、該吐水ヘッドを前記ホルダ側に押し込んだ状態で該ホルダの前記前面に当るストッパ突起を、前記外周縁部と該ホルダの前面との当りを防止する突出高さで設けてあることを特徴とする吐水ヘッド引出式水栓。
【請求項２】
請求項１において、前記ストッパ突起が前記吐水ヘッドの前記雌又は雄嵌合部の周りに少なくとも３つ以上分散して配置してあることを特徴とする吐水ヘッド引出式水栓。
【請求項３】
請求項１，２の何れかにおいて、前記ストッパ突起は先端面が半球状となしてあることを特徴とする吐水ヘッド引出式水栓。
【発明の詳細な説明】
【技術分野】
【０００１】
この発明は吐水ヘッドをホルダから可撓性のホースとともに引出可能となした吐水ヘッド引出式水栓に関し、詳しくは吐水ヘッドのホルダに対する脱着部分の構造に特徴を有するものに関する。
【背景技術】
【０００２】
従来、吐水口を有する吐水ヘッドを、これに接続された可撓性のホースとともに吐水ヘッドを保持するホルダから引出可能となしたホース引出式水栓が公知である。
図５はその一具体例を示している。
【０００３】
図５において、２００はシングルレバー式の混合水栓で、２０２は水栓本体、２０４はその上部に設けられた操作レバーである。
この混合水栓２００では、操作レバー２０４を左右に回動操作することで吐水の温度調節が行われ、また上下に回動操作することで吐水開始と止水及び水量調節が行われる。
【０００４】
２０６は吐水口２０８を有する吐水ヘッドで、この吐水ヘッド２０６には可撓性のホース２１０が接続されており、かかる吐水ヘッド２０６がホース２１０とともにホルダとしての吐水管基部２１２から引出可能とされている。
ここで吐水管基部２１２の吐水ヘッド２０６側の前面２１４及び吐水ヘッド２０６の吐水管基部２１２側の後面２２０は、何れも吐水へッド２０６の引出方向と直角方向のフラットな面とされている。
【０００５】
吐水管基部２１２の前面２１４の略中央部には、ホース２１０の引出口の周りに吐水ヘッド２０６側に突出する円筒形状の雄嵌合部２１６が設けられている。この雄嵌合部２１６の外周面即ち雄嵌合面には、図５（Ｃ）及び（Ｄ）に示すように周方向に沿って連続的に凹凸形状をなす雄セレーション部２１８が設けられている。
【０００６】
一方吐水ヘッド２０６の後面２２０には、対応する位置において吐水管基部２１２側に突出する、突出高さの低い円形の突出部２２１の内側に円形の凹所が雌嵌合部２２２として設けられている。
この雌嵌合部２２２の内周面即ち雌嵌合面には、周方向に連続した凹凸形状をなす雌セレーション部２２４が設けられている。
【０００７】
図５（Ｂ）に示しているように、吐水ヘッド２０６の後面２２０の外周縁部２２６は全周に亘って後方に即ち吐水管基部２１２側に僅かに突出させられている。
吐水ヘッド２０６は、吐水管基部２１２への押込状態（収納状態）で外部に露出する外表面がメッキ面（化粧面）Ｋ１とされており、そしてこのメッキ面が後面２２０の外周縁部２２６まで連続している。図中Ｋ２は外周縁部２２６のメッキ面を表している。
【０００８】
この混合水栓２００では、吐水ヘッド２０６をホース２１０とともに吐水管基部２１２側に押し込むことによって、吐水管基部２１２により吐水ヘッド２０６が保持される。
このとき、吐水管基部２１２の雄嵌合部２１６が吐水ヘッド２０６の雌嵌合部２２２の内部に嵌り込み、それら雌嵌合部２２２と雄嵌合部２１６との嵌合により吐水ヘッド２０６が吐水管基部２１２により収納状態に保持される。
【０００９】
その押込状態（収納状態）で吐水ヘッド２０６は、雄嵌合部２１６の雄セレーション部２１８と、雌嵌合部２２２の雌セレーション部２２４との噛合いにより回転規制される。
即ちこれら雄セレーション部２１８と雌セレーション部２２４との噛合いにより、吐水ヘッド２０６が目的とする方向に向けて吐水管基部２１２により保持された状態となる。
【００１０】
このとき、図６に示しているように吐水ヘッド２０６の後面２２０の外周縁部２２６と吐水管基部２１２の前面２１４との間には若干の隙間Ｓ１が生じる。
吐水ヘッド２０６の突出部２２１が吐水管基部２１２の前面２１４に当る位置まで吐水ヘッド２０６を一杯に押し込んでも上記隙間Ｓ１が生ずるように、予め突出部２２１の突出高さが定められているのである。
これは次の理由に基づく。
【００１１】
前述したように吐水ヘッド２０６の外周縁部２２６、詳しくは吐水管基部２１２の前面に対して対向する面はメッキ面Ｋ２とされており、このメッキ面Ｋ２が吐水ヘッド２０６の押込みの度に吐水管基部２１２の前面２１４に当ってしまうと、外周縁部２２６のメッキ面Ｋ２がメッキ剥がれを生じてしまう。そこでこれを防止するため、吐水ヘッド２０６の押込時に隙間Ｓ１が生ずるようにしてあるのである。
【００１２】
ところでこの混合水栓２００において、吐水ヘッド２０６を吐水管基部２１２側に押し込んだ状態（収納状態）で吐水ヘッド２０６に対し横向きの力が加わると、上記雄嵌合部２１６と雌嵌合部２２２との間の嵌合隙間（嵌合クリアランス）に起因して吐水ヘッド２０６がガタツキを生じ、場合によって外周縁部２２６が吐水管基部２１２の前面２１４に当ってしまう。
【００１３】
而してこのようなガタツキによって、外周縁部２２６のメッキ面Ｋ２が吐水管基部２１２の前面２１４に繰り返し当ると、外周縁部２２６のメッキ面Ｋ２がメッキ剥がれを起してしまう問題を生ずる。
【００１４】
一方そのガタツキを防止するために雄嵌合部２１６と雌嵌合部２２２との間の嵌合隙間、詳しくは雄セレーション部２１８と雌セレーション部２２４との間の嵌合隙間を可及的に小さくすると、雄嵌合部２１６と雌嵌合部２２２との摺動抵抗が大となって摺動性が悪化するとともに、吐水ヘッド２０６を脱着する際の、特に吐水ヘッド２０６の雌嵌合部２２２に、吐水管基部２１２の雄嵌合部２１６を嵌め込んで吐水ヘッド２０６を収納位置まで押し込む際の作業が難しくなり、水栓２００の使い勝手が悪化する問題を生じてしまう。
【００１５】
尚、下記特許文献１には吐水ヘッド２０６の後面２２０に突起を、また吐水管基部２１２の前面２１４に対応する凹部を設けて、それらを互いに嵌め合わせるようになした点が開示されている。
しかしながらこの特許文献１に開示のものは、セレーション部による回転規制に代えて、それら突起と凹部との嵌め合いにより回転規制することを狙いとしたもので、本発明とは異なったものである。
【００１６】
【特許文献１】特開２００６−１０４６８１号公報
【発明の開示】
【発明が解決しようとする課題】
【００１７】
本発明は以上のような事情を背景とし、吐水へッドの後面の外周縁部のメッキ面等の化粧面が、吐水ヘッドの脱着の度にホルダ側の前面に当って、或いは吐水ヘッドの押込状態の下で吐水ヘッドがガタツキを生じることによって、外周縁部の化粧面が化粧剥がれするのを良好に防止でき、且つ吐水ヘッドの脱着を作業性良く良好に行うことのできる吐水ヘッド引出式水栓を提供することを目的としてなされたものである。
【課題を解決するための手段】
【００１８】
而して請求項１のものは、吐水口を有する吐水ヘッドを、該吐水ヘッドに接続された可撓性のホースとともに該吐水ヘッドを保持するホルダから引出可能となしてあり、該ホルダには該吐水ヘッド側の前面に且つ該ホースの引出口の周りに雄又は雌嵌合部が設けてあるとともに、該吐水ヘッドの該ホルダ側の該前面に対向する後面には対応する雌又は雄嵌合部が設けてあって、それら嵌合部の嵌合により該吐水ヘッドを該ホルダにて保持するようになしてある吐水ヘッド引出式水栓において、前記吐水ヘッドの前記後面に且つ該後面の外周縁部と該吐水ヘッドの前記雌又は雄嵌合部との間の位置に、該吐水ヘッドを前記ホルダ側に押し込んだ状態で該ホルダの前記前面に当るストッパ突起を、前記外周縁部と該ホルダの前面との当りを防止する突出高さで設けてあることを特徴とする。
【００１９】
請求項２のものは、請求項１において、前記ストッパ突起が前記吐水ヘッドの前記雌又は雄嵌合部の周りに少なくとも３つ以上分散して配置してあることを特徴とする。
【００２０】
請求項３のものは、請求項１，２の何れかにおいて、前記ストッパ突起は先端面が半球状となしてあることを特徴とする。
【発明の作用・効果】
【００２１】
以上のように本発明は、吐水ヘッドの後面に且つ後面の外周縁部と、吐水ヘッド側の雌又は雄嵌合部との間の位置に、ホルダの前面に当ってその外周縁部とホルダの前面との当りを防止するストッパ突起を設けたものである。
本発明によれば、ストッパ突起のストッパ作用により、ホルダ側の雄又は雌嵌合部と吐水ヘッド側の雌又は雄嵌合部との各嵌合部の間の嵌合隙間に起因して吐水ヘッドが外力でガタツキを生じるのを効果的に防止ないし抑制することができる。少なくとも吐水ヘッドの後面の外周縁部がホルダの前面に当るのを良好に防止することができる。
従って本発明によれば、その外周縁部がホルダの前面に当ることによって、外周縁部のメッキ面或いは塗装面等の化粧面が化粧剥がれするのを良好に防止することができる。
【００２２】
また本発明ではストッパ突起のストッパ作用にて外周縁部の化粧面の化粧剥がれを防止できることから、ホルダと吐水ヘッドの各嵌合部の間に十分な大きさの嵌合隙間を確保しておくことができ、従って吐水ヘッドをホルダに対し脱着する際の良好な作業性を保持することができる。
【００２３】
尚、上記のストッパ突起をホルダの前面の設けて、このストッパ突起を吐水ヘッドの後面に当てるようになすことも考えられるが、この場合、吐水ヘッドをホルダから引き出したときにストッパ突起が使用者の視野に入ってしまい、ストッパ突起が水栓の外観を損なう問題を生ずる。
【００２４】
これに対し、本発明ではかかるストッパ突起を吐水ヘッドの後面に設けてあるため、吐水ヘッドをホルダから引き出して使用する際、ストッパ突起が使用者の視野には入らず、水栓の美観を良好に保持できる利点が得られる。
【００２５】
本発明では、上記ストッパ突起を吐水ヘッドの雌又は雄嵌合部の周りに少なくとも３つ以上分散して配置しておくことが望ましい（請求項２）。
このようにすれば、吐水ヘッドの後面を複数のストッパ突起で（複数の箇所で）ホルダの前面に当てることができ、吐水ヘッドを収納状態でより安定的にホルダにて保持させることができ、吐水ヘッドのガタツキをより効果的に防止することができる。
【００２６】
この場合においてホルダと吐水ヘッドとの対向面、即ちホルダの前面と吐水ヘッドの後面とを多角形状として、その角部の内側の外周に近い隅部にストッパ突起を配置しておくことができる。
例えば前面及び後面を四角形状となして、上記ストッパ突起をその後面の四隅に配置しておくことができる。
【００２７】
本発明ではまた、上記ストッパ突起の先端面を半球状となしておくことが望ましい（請求項３）。
このようにすればストッパ突起をホルダの前面に対し点当りさせることができ、ホルダ側の傷つきやストッパ突起がホルダの前面に当るときの当り音を有効に小さく又は防止することができる。
【発明を実施するための最良の形態】
【００２８】
次に本発明の実施形態を図面に基づいて詳しく説明する。
図１及び図２において、１０は本実施形態のシングルレバー式の混合水栓で、１２は水栓本体、１４は水栓本体１２の上部に回動可能に設けられた操作レバーである。
この混合水栓１０では、操作レバー１４を図中左右方向に回動操作することで吐水の温度調節が行われ、また上下に回動操作することで吐水開始と止水及び水量調節が行われる。
【００２９】
１６は吐水口１８を有する吐水ヘッドで、この吐水ヘッド１６には可撓性のホース２０が接続されており、かかる吐水ヘッド１６が、ホース２０とともにそのホルダとしての吐水管基部２２から引出可能とされている。
【００３０】
ここで吐水ヘッド１６は、吐水管基部２２による保持状態即ち押込状態で、吐水管基部２２の前面２４に対しその後面２６が前後の引出方向に重合する状態に、吐水管基部２２にて保持される。
尚吐水管基部２２の前面２４及び吐水ヘッド１６の後面２６は、何れも吐水ヘッド１６の引出方向と直角方向のフラットな面とされている。
【００３１】
吐水管基部２２の前面２４の略中央部には、図３に示すように吐水ヘッド１６側に向って前方に突出する円筒形状の雄嵌合部２８が設けられている。
この雄嵌合部２８の外周面である雄嵌合面には、周方向に沿って連続的に凹凸形状をなす雄セレーション部３０が設けられている。
【００３２】
一方吐水ヘッド１６の後面２６には、対応する位置において円形の突出部３３の内側に断面円形状の雌嵌合部３２が設けられている。
この雌嵌合部３２の内周面である雌嵌合面には、周方向に連続した凹凸形状をなす雌セレーション部３４が設けられている。
【００３３】
図３（Ｂ）に示しているように、吐水ヘッド１６の後面２６は外周縁部３６が全周に亘って後方に、即ち吐水管基部２２側に僅かに突出させられている。
吐水ヘッド１６は外表面がメッキ面Ｋ１とされており、また後面２６のうち外周縁部３６のみメッキ面Ｋ１と連続したメッキ面Ｋ２とされている。
【００３４】
この混合水栓１０では、吐水ヘッド１６をホース２０とともに吐水管基部２２側に押し込むことによって、吐水管基部２２により吐水ヘッド１６が保持される。
このとき、吐水管基部２２の雄嵌合部２８が吐水ヘッド１６の雌嵌合部３２内に嵌り込み、それら雄嵌合部２８と雌嵌合部３２との嵌合により吐水ヘッド１６が吐水管基部２２にて押込状態に保持される。
【００３５】
吐水ヘッド１６は、その押込状態で雄嵌合部２８の雄セレーション部３０と雌嵌合部３２の雌セレーション部３４との噛合いにより回転規制される。
【００３６】
このとき、図４（Ｂ）に示しているように吐水ヘッド１６の後面２６の外周縁部３６と吐水管基部２２の前面２４との間には後述のストッパ突起３８により隙間Ｓ２が生ずる。
【００３７】
本実施形態では、吐水管基部２２の前面２４及び吐水ヘッド１６の後面２６が同一の面形状且つ略四角形状をなしており、そして吐水ヘッド１６側の後面２６の外周側の四隅、詳しくは外周縁部３６の各コーナー部の内側の隅部に、吐水管基部２２の前面２４に向って後方に突出する４つのストッパ突起３８が設けられている。
【００３８】
これらストッパ突起３８は、吐水ヘッド１６を吐水管基部２２の側に押し込んで、吐水ヘッド１６を吐水管基部２２により保持した状態（収納状態）としたとき、吐水管基部２２の前面２４に当って、吐水ヘッド１６の外周縁部３６と吐水管基部２２の前面２４との間に隙間Ｓ２を確保する働きをなす。
即ち本実施形態においてそれらストッパ突起３８は、外周縁部３６と吐水管基部２２の前面２４との間に隙間Ｓ２を形成する突出高さで、吐水ヘッド１６の後面２６に突設されている。
【００３９】
尚、隙間Ｓ２は図６の上記隙間Ｓ１よりも大きいものであり、従って隙間Ｓ２が生じた状態において、吐水ヘッド１６の雌嵌合部３２周りの突出部３３は、吐水管基部２２の前面２４から僅かに離れた状態となる。
即ち本実施形態において、ストッパ突起３８は突出部３３よりも突出高さが高くされている。
但しストッパ突起３８の突出高さと円環状の突出部３３との突出高さを同じとしておくことも可能である。
【００４０】
本実施形態において、各ストッパ突起３８は周方向に約９０°づつ隔たった４個所に設けられている。
また各ストッパ突起３８は、その先端面が半球状に形成されており、吐水管基部２２の前面２４に対する当りが点当りとなるように構成されている。
【００４１】
以上のような本実施形態によれば、吐水管基部２２側の雄嵌合部２８と吐水ヘッド１６側の雌嵌合部３２との間の嵌合隙間によって吐水ヘッド１６が外力でガタツキを生じるのを効果的に防止ないし抑制することができる。少なくとも吐水ヘッド１６の後面２６の外周縁部３６が、吐水管基部２２の前面２４に当るのを良好に防止することができる。
従って本実施形態によれば、その外周縁部３６が吐水管基部２２の前面２４に当ることによって、外周縁部３６のメッキ面Ｋ１がメッキ剥がれするのを良好に防止することができる。
【００４２】
一方で吐水管基部２２の雄嵌合部２８と吐水ヘッド１６の雌嵌合部３２との間に十分な大きさの嵌合隙間を確保しておくことができ、従って吐水ヘッド１６を吐水管基部２２に対し脱着する際の作業性を良好に保持することができる。
またストッパ突起３８が吐水ヘッド１６の後面２６に設けてあるため、吐水ヘッド１６を吐水管基部２２から引き出して使用する際、複数のストッパ突起３８が使用者の視野に入るのを回避でき、使用時における水栓の美観を良好に保持することができる。
【００４３】
更に本実施形態では４つのストッパ突起３８を吐水ヘッド１６の後面２６の外周に近い４隅に配置しているため、吐水ヘッド１６の後面２６を複数のストッパ突起３８で吐水管基部２２の前面２４に当てることができ、吐水ヘッド１６を押込状態でより安定的に吐水管基部２２にて保持させることができ、そのガタツキを効果的に防止することができる。
【００４４】
またストッパ突起３８の先端面を半球状となしてあるため、ストッパ突起３８を吐水管基部２２の前面２４に対し点当りさせることができ、吐水管基部２２側の傷つきを防止したり、当り音を小さく或いは防止することができる。
【００４５】
以上本発明の実施形態を詳述したがこれはあくまで一例示である。
例えば上記実施例では吐水管基部２２の側に雄嵌合部を、また吐水ヘッド１６の側に雌嵌合部を設けているが、これとは逆に吐水管基部２２の側に例えば筒状の突出部を形成してその内側に雌嵌合部を、また吐水ヘッド１６の側に筒状の突出部を形成してその突出部を雄嵌合部として構成するといったことも可能であり、更に上記実施形態ではストッパ突起を４つ設けているが、その数は適宜に変更することが可能である。
但し本発明ではかかるストッパ突起は少なくても３つ以上吐水ヘッド１６の嵌合部周りに分散して設けておくことが望ましい。
【００４６】
また上記実施形態では雄嵌合部と雌嵌合部とを雄セレーション部と雌セレーション部とを噛み合わせる状態に嵌合させるようにしているが、これらセレーション部は本発明において必須のものではなく、他の手段にて吐水ヘッド１６を吐水管基部２２に対し回転規制するようになしたり、或いは一定角度範囲内で回転可能としたりすることも可能である。
【００４７】
また上記実施形態では吐水管基部２２からなるホルダを水栓本体に一体に設けているが、これとは別にホルダを構成して、そのホルダにより吐水ヘッドを保持するようになすことも可能である等、本発明はその趣旨を逸脱しない範囲において種々変更を加えた形態で構成可能である。
【図面の簡単な説明】
【００４８】
【図１】本発明の一実施形態である吐水ヘッド引出式混合水栓の斜視図である。
【図２】図１の吐水ヘッド引出式水栓を別方向から見た斜視図である。
【図３】同実施形態における吐水ヘッド及び吐水管基部を示す図である。
【図４】同実施形態の作用説明図である。
【図５】従来の吐水ヘッド引出式水栓の図である。
【図６】図５の水栓の不具合の説明図である。
【符号の説明】
【００４９】
１０  混合水栓
１６  吐水ヘッド
１８  吐水口
２２  吐水管基部（ホルダ）
２８  雄嵌合部
３２  雌嵌合部
３６  外周縁部
３８  ストッパ突起
【図１】
2008175009.tif 000003
【図２】
2008175009.tif 000004
【図３】
2008175009.tif 000005
【図４】
2008175009.tif 000006
【図５】
2008175009.tif 000007
【図６】
2008175009.tif 000008